(57)【要約】【課題】  映像再生時におけるスキップを速やかにかつ簡単に行うことができるようにする。【解決手段】  ハードディスク装置等のランダムアクセスが可能な記録媒体に記録された映像データの再生を開始した後、例えば、リモートコントローラのスキップボタンを押下してスキップ処理を指示すると、スキップボタンを押下した回数またはスキップボタンを押し続けた時間に応じてスキップ時間が設定され、そのスキップ時間だけ映像データの再生がスキップされ、その間、例えば、通常再生時の映像を３秒毎に抽出した中間映像が表示される。このスキップ時間が所定の基準値（例えば６０秒）を超えたとき、スキップ開始時からスキップ時間だけ先の通常再生開始位置から例えば３０秒前まで瞬時にスキップし、その後、中間映像を１０回表示して通常再生に移行する。【選択図】      図５
2006134389.tif 000002
【特許請求の範囲】
【請求項１】
所定の記録媒体に記録された映像データの再生を制御する再生制御装置であって、
前記映像データの再生を所定の第１の時間を単位としてスキップさせるための指示入力を受ける指示入力受付手段と、
前記映像データから所定の第２の時間毎に抽出される中間映像の表示残量を示す中間映像表示残量を前記指示入力に基づいて更新する中間映像表示残量管理手段と、
現在再生が行われている現在表示位置を前記中間映像表示残量に基づいて更新する現在表示位置管理手段とを具備し、
前記現在表示位置管理手段は、前記中間映像表示残量が所定の閾値を超えた際には前記中間映像表示残量に対応する位置から所定の固定残量に対応する位置だけ前になるように前記現在表示位置を更新させることを特徴とする再生制御装置。
【請求項２】
前記中間映像表示残量管理手段は、
前記中間映像表示残量を保持する中間映像表示残量保持手段と、
前記指示入力が受け付けられる毎に前記第１の時間に基づいて前記中間映像表示残量を増加させる一方で前記中間映像が表示される毎に前記中間映像表示残量を減少させる中間映像表示残量更新手段と
を備えることを特徴とする請求項１記載の再生制御装置。
【請求項３】
前記中間映像表示残量保持手段に保持される前記中間映像表示残量は、回数を基準とすることを特徴とする請求項２記載の再生制御装置。
【請求項４】
前記中間映像表示残量保持手段に保持される前記中間映像表示残量は、時間を基準とすることを特徴とする請求項２記載の再生制御装置。
【請求項５】
前記現在表示位置管理手段は、
前記現在表示位置を保持する現在表示位置保持手段と、
前記映像データの通常再生時には再生位置に応じて前記現在表示位置を更新する一方で前記スキップ時には前記第１の時間ずつ前記現在表示位置を更新する中間表示位置更新手段とを備え、
前記中間表示位置更新手段は、前記スキップ時に前記中間映像表示残量が所定の閾値を超えたときには前記中間映像表示残量から前記固定残量を差し引いた値に対応して現在表示位置を更新する中間表示位置更新手段と
を具備することを特徴とする請求項１記載の再生制御装置。
【請求項６】
前記現在表示位置保持手段に保持される前記現在表示位置は、時間を基準とすることを特徴とする請求項５記載の再生制御装置。
【請求項７】
前記指示受付手段は、前記指示入力を連続して受け付けている期間にはその期間の長さに略比例して前記中間映像表示残量を増加させる
ことを特徴とする請求項１記載の再生制御装置。
【請求項８】
所定の記録媒体に記録された映像データを再生する再生装置であって、
前記映像データを再生する再生手段と、
前記再生手段による前記映像データの再生を所定の第１の時間を単位としてスキップさせるための指示入力を受け付ける指示入力受付手段と、
前記映像データから所定の第２の時間毎に抽出される中間映像の表示残量を示す中間映像表示残量を前記指示入力に基づいて更新する中間映像表示残量管理手段と、
前記再生手段によって再生が行われている現在表示位置を前記中間映像表示残量に基づいて更新する現在表示位置管理手段とを具備し、
前記現在表示位置管理手段は、前記中間映像表示残量が所定の閾値を超えた際には前記中間映像表示残量に対応する位置から所定の固定残量に対応する位置だけ前になるように前記現在表示位置を更新させることを特徴とする再生装置。
【請求項９】
所定の記録媒体に記録された映像データの再生を制御する再生制御方法であって、
前記映像データの再生を所定の第１の時間を単位としてスキップさせるための指示入力を受ける手順と、
前記映像データから所定の第２の時間毎に抽出される中間映像の表示残量を示す中間映像表示残量を前記指示入力に基づいて更新する手順と、
現在再生が行われている現在表示位置を前記中間映像表示残量に基づいて更新する手順と、
前記中間映像表示残量が所定の閾値を超えた際には前記中間映像表示残量に対応する位置から所定の固定残量に対応する位置だけ前になるように前記現在表示位置を更新させる手順と
を具備することを特徴とする再生制御方法。
【請求項１０】
所定の記録媒体に記録された映像データを再生する際に前記映像データの再生を所定の第１の時間を単位としてスキップさせるための指示入力を受ける手順と、
前記映像データから所定の第２の時間毎に抽出される中間映像の表示残量を示す中間映像表示残量を前記指示入力に基づいて更新する手順と、
現在再生が行われている現在表示位置を前記中間映像表示残量に基づいて更新する手順と、
前記中間映像表示残量が所定の閾値を超えた際には前記中間映像表示残量に対応する位置から所定の固定残量に対応する位置だけ前になるように前記現在表示位置を更新させる手順と
をコンピュータに実行させることを特徴とするプログラム。
【発明の詳細な説明】
【技術分野】
【０００１】
本発明は、再生装置に関し、特に、テレビジョン放送の番組などを録画または再生する装置、および、これらにおける処理方法ならびに当該方法をコンピュータに実行させるプログラムに関する。
【背景技術】
【０００２】
従来、ビデオテープレコーダ等の録画再生装置においては、録画された番組の中から視聴したい所望の番組を検索する方法として、録画した番組を早送り機能や巻き戻し機能を用いて、実際に早送りまたは巻き戻しされている映像を見ながら探す方法、あるいは、録画時に録画する番組にインデックスを付けておき、再生して視聴するときに、そのインデックスの一覧を画面に表示して、所望の番組に対応するインデックスに基づいて視聴したい番組を探す方法等がある。
【０００３】
一方、近年、デジタル技術の進歩に伴い、ハードディスク装置やＤＶＤ（Digital Versatile Disc）等のランダムアクセスが可能な記録媒体に番組を録画し再生する機能を有するデジタルビデオ録画再生装置も普及し始めている。このデジタルビデオ録画再生装置では、その特性上、録画された番組の再生を任意の位置から開始することができるため、録画された番組を視聴している最中に、簡易な操作により、例えば３０秒間の映像（例えば、コマーシャル映像）を瞬時にスキップし、その後、通常再生に移行するといった処理が可能となっている。
【０００４】
ハードディスク装置やＤＶＤ等のデジタルビデオ録画再生装置において、所定の時間だけ映像をスキップする方法としては、装置本体やリモートコントローラ（以下では、適宜、リモコンと略記する）上の所定のボタン（スキップボタン）を押下すると同時に、再生を停止させ、所定の時間（例えば、１５秒間）だけシークして再生を行う方法や、画面上にどの程度スキップするのかを示す情報（スキップする時間（スキップ時間）を示す情報）を表示し、上下ボタンなどで選択したスキップ時間だけ再生位置をスキップさせる方法等がある。
【０００５】
しかしながら、スキップボタンが押下されたときに、単純に映像を瞬時にスキップさせるだけでは、例えば、誤ってスキップボタンを押してしまった場合などにおいて、誤って映像がスキップされてしまったことに気が付かないことがあるという問題があった。そこで、例えば、１５秒間だけ映像をスキップさせる場合、１５秒間の映像を瞬時にスキップさせるのではなく、その間、例えば、３秒毎に５枚の映像（中間映像）をそれぞれ０．２秒間ずつ表示させるという方法が取られる。この方法により、ユーザは、前方にスキップしている最中であるということを容易に認識することができる。
【０００６】
このように、スキップボタンを押下することにより、再生中に映像を１５秒間だけスキップさせることができるが、さらにもっと長い時間スキップさせたい場合、スキップボタンを複数回押下することになる。
【０００７】
これに対して、１回目のスキップボタンの押下に対しては２７秒等の短い時間だけスキップし、２回目以降のスキップボタンの押下に対しては３０秒等のコマーシャルの単位時間だけスキップすることにより、ユーザによるスキップボタンの押下の数秒の遅れを吸収し、スキップ先を番組の再開時に合わせるようにしたものがある（例えば、特許文献１参照。）。
【特許文献１】特開２００２−１５２６８７号公報（図１）
【発明の開示】
【発明が解決しようとする課題】
【０００８】
しかしながら、上述の従来技術では、スキップボタンを複数回押下することにより、再生中の映像をスキップさせる時間を増加させることができるが、スキップ時間が増えるに従って、その間に挿入される中間映像の数も増える。このため、スキップが終了して通常の再生状態になるまでの時間、すなわち、中間映像の表示数と中間映像の１画面あたりの表示時間（例えば、０．２秒）とを乗算することによって得られる時間（中間映像を表示するための時間であり、以下では中間映像表示時間と記載する）が長くなってしまう。
【０００９】
そのため、スキップ時間が長くなるのに比例して、スキップ開始から通常の再生に移行するまでの時間（中間映像表示時間）が長くなり、操作感が悪くなってしまうという問題があった。そこで、スキップボタンが押下されたとき、例えば、「１５秒」、「３０秒」、「１分」、「２分」、「３分」などのスキップ時間を選択するための選択項目を画面上に表示し、その中から選択した選択項目に対応するスキップ時間だけ瞬時にスキップさせるという方法も考えられるが、その場合、操作が煩雑になり、操作感が悪くなってしまうという問題があった。
【００１０】
また、スキップ時間が所定の基準時間以上となった場合、スキップする間に挟む中間映像の間隔を３秒毎ではなく、５秒毎、１０秒毎、３０秒毎と広げることも考えられるが、その場合、映像の輝度にばらつきがあるものを短時間で連続再生し、表示してしまう可能性があり、ユーザにとっては見辛くなるという問題があった。また、１秒あたりに表示される中間映像の枚数を例えば５枚より少ない数に抑制すると、映像がもたついているような感じになるため、その場合も操作感が悪くなってしまうという問題があった。
【００１１】
そこで、本発明は、簡易な操作により、現在再生中の映像を任意の時間だけスキップすることができるようにすることを目的とする。
【課題を解決するための手段】
【００１２】
本発明は、上記課題を解決するためになされたものであり、その第１の側面は、所定の記録媒体に記録された映像データの再生を制御する再生制御装置であって、上記映像データの再生を所定の第１の時間を単位としてスキップさせるための指示入力を受ける指示入力受付手段と、上記映像データから所定の第２の時間毎に抽出される中間映像の表示残量を示す中間映像表示残量を上記指示入力に基づいて更新する中間映像表示残量管理手段と、現在再生が行われている現在表示位置を上記中間映像表示残量に基づいて更新する現在表示位置管理手段とを具備し、上記現在表示位置管理手段は、上記中間映像表示残量が所定の閾値を超えた際には上記中間映像表示残量に対応する位置から所定の固定残量に対応する位置だけ前になるように上記現在表示位置を更新させることを特徴とする再生制御装置である。これにより、速やかに所望の映像を表示させるという作用をもたらす。また、その後、中間映像が表示されることになるので、スキップ処理が行われていることをユーザに認識させることができるという作用をもたらす。
【００１３】
また、本発明の第１の側面において、上記中間映像表示残量管理手段は、上記中間映像表示残量を保持する中間映像表示残量保持手段と、上記指示入力が受け付けられる毎に上記第１の時間に基づいて上記中間映像表示残量を増加させる一方で上記中間映像が表示される毎に上記中間映像表示残量を減少させる中間映像表示残量更新手段とを備えるようにすることができる。この場合、上記中間映像表示残量保持手段に保持される上記中間映像表示残量は、回数を基準とすることができる。あるいは、上記中間映像表示残量保持手段に保持される上記中間映像表示残量は、時間を基準とすることができる。
【００１４】
また、第１の側面において、上記現在表示位置管理手段は、上記現在表示位置を保持する現在表示位置保持手段と、上記映像データの通常再生時には再生位置に応じて上記現在表示位置を更新する一方で上記スキップ時には上記第１の時間ずつ上記現在表示位置を更新する中間表示位置更新手段とを備え、上記中間表示位置更新手段は、上記スキップ時に上記中間映像表示残量が所定の閾値を超えたときには上記中間映像表示残量から上記固定残量を差し引いた値に対応して現在表示位置を更新する中間表示位置更新手段とを具備するようにすることができる。この場合、上記現在表示位置保持手段に保持される上記現在表示位置は、時間を基準とすることができる。
【００１５】
また、第１の側面において、上記指示受付手段は、上記指示入力を連続して受け付けている期間にはその期間の長さに略比例して上記中間映像表示残量を増加させるようにしてもよい。これにより、操作性を向上させるという作用をもたらす。
【００１６】
また、本発明の第２の側面は、所定の記録媒体に記録された映像データを再生する再生装置であって、上記映像データを再生する再生手段と、上記再生手段による上記映像データの再生を所定の第１の時間を単位としてスキップさせるための指示入力を受け付ける指示入力受付手段と、上記映像データから所定の第２の時間毎に抽出される中間映像の表示残量を示す中間映像表示残量を上記指示入力に基づいて更新する中間映像表示残量管理手段と、上記再生手段によって再生が行われている現在表示位置を上記中間映像表示残量に基づいて更新する現在表示位置管理手段とを具備し、上記現在表示位置管理手段は、上記中間映像表示残量が所定の閾値を超えた際には上記中間映像表示残量に対応する位置から所定の固定残量に対応する位置だけ前になるように上記現在表示位置を更新させることを特徴とする再生装置である。これにより、速やかに所望の映像を表示させるという作用をもたらす。また、その後、中間映像が表示されるので、スキップ処理が行われていることをユーザに認識させることができるという作用をもたらす。
【００１７】
また、本発明の第３の側面は、所定の記録媒体に記録された映像データの再生を制御する再生制御方法であって、上記映像データの再生を所定の第１の時間を単位としてスキップさせるための指示入力を受ける手順と、上記映像データから所定の第２の時間毎に抽出される中間映像の表示残量を示す中間映像表示残量を上記指示入力に基づいて更新する手順と、現在再生が行われている現在表示位置を上記中間映像表示残量に基づいて更新する手順と、上記中間映像表示残量が所定の閾値を超えた際には上記中間映像表示残量に対応する位置から所定の固定残量に対応する位置だけ前になるように上記現在表示位置を更新させる手順とを具備することを特徴とする再生制御方法である。これにより、速やかに所望の映像を表示させるという作用をもたらす。また、その後、中間映像が表示されることになるので、スキップ処理が行われていることをユーザに認識させることができるという作用をもたらす。
【００１８】
また、本発明の第４の側面は、所定の記録媒体に記録された映像データを再生する際に上記映像データの再生を所定の第１の時間を単位としてスキップさせるための指示入力を受ける手順と、上記映像データから所定の第２の時間毎に抽出される中間映像の表示残量を示す中間映像表示残量を上記指示入力に基づいて更新する手順と、現在再生が行われている現在表示位置を上記中間映像表示残量に基づいて更新する手順と、上記中間映像表示残量が所定の閾値を超えた際には上記中間映像表示残量に対応する位置から所定の固定残量に対応する位置だけ前になるように上記現在表示位置を更新させる手順とをコンピュータに実行させることを特徴とするプログラムである。これにより、速やかに所望の映像を表示させるという作用をもたらす。また、その後、中間映像が表示されるので、スキップ処理が行われていることをユーザに認識させることができるという作用をもたらす。
【発明の効果】
【００１９】
本発明によれば、簡単な操作で、映像をスキップする時間の長短に拘わらず、迅速に所望の映像が再生されるようにすることができる。また、スキップしている間、中間映像が表示されるので、早送りまたは巻き戻しを行っていることをユーザは容易に認識することができるという優れた効果を奏し得る。
【発明を実施するための最良の形態】
【００２０】
次に本発明の実施の形態について図面を参照して詳細に説明する。図１は、本発明の実施の形態におけるデジタルビデオ録画再生装置１００の構成例を示すブロック図である。同図に示すように、デジタルビデオ録画再生装置１００は、リモコン受光部１１１と、制御部１１２と、地上波チューナ１１３と、ハードディスク装置１１４と、混合器１１５と、コネクタ１１６乃至１１９とから構成されている。
【００２１】
また、デジタルビデオ録画再生装置１００には、コネクタ１１６および１１７を介してＣＳ（Communication Satellite）チューナ１２１が接続されている。また、ＣＳチューナ１２１には、ＣＳ用アンテナ１２０が接続されている。また、地上波チューナ１１３には、コネクタ１１８を介して地上波用アンテナ１２２が接続されている。
【００２２】
リモコン受光部１１１は、リモートコントローラ（以下、リモコンと略記する）２００の（図示しない）赤外線発光部から照射された赤外線を受光し、赤外線により送信されてきた制御データを制御部１１２に供給するようになっている。
【００２３】
また、制御部１１２は、ＣＳチューナ１２１および地上波チューナ１１３より供給された信号をエンコードし、映像音声データとしてハードディスク装置１１４に供給するとともに、ハードディスク装置１１４に記憶されているエンコードされた映像音声データに対してデコード処理を施し、混合器１１５に供給させるようになっている。
【００２４】
地上波チューナ１１３は、コネクタ１１８を介して地上波用アンテナ１２２より供給された受信信号から所望のチャンネルの映像音声信号を抽出し、制御部１１２およびハードディスク装置１１４に供給するようになっている。
【００２５】
ハードディスク装置１１４は、制御部１１２の制御下、ＣＳチューナ１２１および地上波チューナ１１３より供給された映像音声データを記憶するとともに、制御部１１２の制御下、デコードされた映像音声データを後述する混合器１１５およびコネクタ１１９を介して受像機４００に供給するようになっている。
【００２６】
混合器１１５は、制御部１１２の制御下、ハードディスク装置１１４より供給された映像データと、制御部１１２より供給された映像データとを混合し、コネクタ１１９を介して受像機４００に供給するようになっている。
【００２７】
ＣＳ用アンテナ１２０は、通信衛星からの電波を受信し、対応する電気信号に変換した後、ＣＳチューナ１２１に供給するようになっている。ＣＳチューナ１２１は、ＣＳ用アンテナ１２０より供給された電気信号から所定の放送局の映像音声信号を抽出し、この映像音声信号を制御部１１２を介して受像機４００に供給したり、この映像音声信号を制御部１１２およびハードディスク装置１１４に供給したりするようになっている。
【００２８】
地上波用アンテナ１２２は、所定の放送局からの地上波を受信し、対応する電気信号に変換した後、地上波チューナ１１３に供給するようになっている。地上波チューナ１１３は、地上波用アンテナ１２２により供給された電気信号から所定の放送局の映像音声信号を抽出し、この映像音声信号を制御部１１２を介して受像機４００に供給したり、制御部１１２およびハードディスク装置１１４に供給したりするようになっている。
【００２９】
図２は、デジタルビデオ録画再生装置１００の要部の構成例を示すブロック図である。同図に示すように、デジタルビデオ録画再生装置１００は、地上波チューナ１１３を構成するライブ用チューナ５３１と、録画用チューナ５３２とを有し、ライブ用チューナ５３１は、地上波用アンテナ１２２により供給された電気信号から抽出された所定の映像音声信号を後述する映像信号処理回路５３９および音声信号処理回路５４０にそれぞれ供給するようになっている。
【００３０】
また、デジタルビデオ録画再生装置１００は、ＲＯＭ（Read Only Memory）５１３に記憶されている制御プログラムに従って各部を制御するＣＰＵ（Central Processing Unit）５１１と、ＣＰＵ５１１が各種処理を実行する上で必要となる各種データを記憶するＲＡＭ（Random Access Memory）５１２と、制御プログラムを記憶するＲＯＭ５１３と、バス５２０と、電源をオフした後も保持しておきたい各種データを記憶する不揮発性ＲＡＭ５１５と、映像音声信号を符号化するＭＰＥＧエンコーダ５３３および５３４と、エンコードされた映像音声データをデコードするＭＰＥＧデコーダ５３５と、受像機４００の各種設定時等に発する効果音等を発生する付加音発生回路５３６とを有している。
【００３１】
さらにまた、デジタルビデオ録画再生装置１００は、受像機４００を構成するディスプレイ４１０に表示すべきグラフィックデータ等が展開されるＶＲＡＭ（Video Random Access Memory）５３７と、ＶＲＡＭ５３７に展開されたグラフィックデータに対してデコード処理を行い、デコードされた映像データを映像信号処理回路５３９に供給する映像デコーダ５３８と、ライブ用チューナ５３１または映像デコーダ５３８より供給された映像信号に対して所定の映像信号処理を行い、ディスプレイ４１０に供給する映像信号処理回路５３９と、ライブ用チューナ５３１またはＭＰＥＧデコーダ５３５または付加音発生回路５３６より供給された音声信号に対して所定の音声信号処理を行い、スピーカ４２０に供給する音声信号処理回路５４０等を有している。
【００３２】
図３は、リモコン２００の構成例を示すブロック図である。同図に示すように、リモコン２００は、電源をオン／オフするときに操作される電源ボタン２１１と、チャンネル選択時に操作されるテンキー２１２と、チャンネルを順次選択するときに操作されるチャンネルボタン２１３と、音量調節を行うときに操作される音量ボタン２１４とを有している。
【００３３】
また、リモコン２００は、システムメニューの表示を指示するときに操作されるシステムメニューボタン２１５と、タイトルリストの表示を指示するときに操作されるタイトルリストボタン２１６と、ツールの表示を指示するときに操作されるツールボタン２１７と、左右上下へのカーソル移動と決定を指示するときに操作される選択決定ボタン２１８と、再生中の映像を後方にスキップさせるときに操作される後方スキップボタン２１９と、再生中の映像を前方にスキップさせるときに操作される前方スキップボタン２２０とを有している。
【００３４】
この後方スキップボタン２１９および前方スキップボタン２２０は、所定時間以上連続して押下し続けられると、その間、押下する操作が複数回に亘り繰り返し行われたときと同様に機能するようになっている。すなわち、通常はスキップボタンを押下した回数に応じてスキップ時間が設定されるが、所定時間以上連続して押し続けられた場合、スキップボタンを押し続けた時間に略比例したスキップ時間が設定されるようになっている。
【００３５】
さらにまた、リモコン２００は、前のタイトル、チャプター、または、トラックに進むとき操作される前ボタン２２１と、次のタイトル、チャプター、または、トラックに進むとき操作される次ボタン２２４と、巻き戻しするときに操作される巻戻ボタン２２２と、早送りするときに操作される早送ボタン２２３と、再生を指示するときに操作される再生ボタン２２５と、再生の一時停止を指示するときに操作される一時停止ボタン２２６と、再生の停止を指示するときに操作される停止ボタン２２７とを有している。
【００３６】
図４は、本発明のデジタルビデオ録画再生装置１００の機能構成例を示すブロック図である。同図に示すように、デジタルビデオ記録再生装置１００は、指示入力受付部６１０と、中間映像表示残量管理部６２０と、現在表示位置管理部６３０と、再生部６４０と、データ記憶部６５０と、出力部６６０等から構成されている。
【００３７】
指示入力受付部６１０は、例えばリモコン２００もしくはリモコン受光部１１１等により実現され、再生、早送り、巻き戻し、スキップ等の指示を受け付けるようになっている。中間映像表示残量管理部６２０は、中間映像表示残量更新部６２１と、中間映像表示残量カウンタ６２２とを有している。
【００３８】
中間映像表示残量カウンタ６２２は、例えばＣＰＵ５１１、ＲＡＭ５１２、および、ＲＯＭ５１３等により実現され、スキップ処理中に表示される中間映像の表示すべき残りの枚数である中間映像表示残量を保持するようになっている。中間映像表示残量更新部６２１は、例えばＣＰＵ５１１、ＲＡＭ５１２、および、ＲＯＭ５１３等により実現され、中間映像表示残量カウンタ６２２に保持されている中間映像表示残量を更新するようになっている。すなわち、指示入力受付部６１０によってスキップが指示される毎に、所定の単位時間に対応する数ずつ中間映像表示残量を増加させ、中間映像が表示される毎に、中間映像表示残量が１ずつ減少させられる。
【００３９】
現在表示位置管理部６３０は、例えばＣＰＵ５１１、ＲＡＭ５１２、および、ＲＯＭ５１３等により実現され、固定残量保持部６３１と、残量閾値保持部６３２と、現在表示位置更新部６３３と、現在表示位置カウンタ６３４とを有している。
【００４０】
固定残量保持部６３１は、例えばＣＰＵ５１１、ＲＡＭ５１２、および、ＲＯＭ５１３等により実現され、後述する固定残量を保持するようになっている。残量閾値保持部６３２は、例えばＣＰＵ５１１、ＲＡＭ５１２、および、ＲＯＭ５１３等により実現され、後述する残量閾値を保持するようになっている。現在表示位置カウンタ６３４は、例えばＣＰＵ５１１、ＲＡＭ５１２、および、ＲＯＭ５１３等により実現され、現在表示位置を保持するようになっている。現在表示位置更新部６３３は、例えばＣＰＵ５１１、ＲＡＭ５１２、および、ＲＯＭ５１３等により実現され、現在表示位置カウンタ６３４に記憶されている現在表示位置を更新するようになっている。
【００４１】
再生部６４０は、現在表示位置カウンタ６３４に保持されている現在表示位置に基づいて通常の再生処理および中間映像の再生を行い、出力部６６０に出力するようになっている。再生部６４０は、例えばＭＰＥＧデコーダ５３５等により実現される。出力部６６０は、例えば受像機４００等により実現される。
【００４２】
図５は、デジタルビデオ録画再生装置１００において、ユーザによってリモコン２００の後方スキップボタン２１９または前方スキップボタン２２０が操作され、再生中にスキップするよう指示されたときの処理手順を示す図である。
【００４３】
図５（ａ）は、従来の処理手順を示しており、図５（ｂ）は、本発明のデジタルビデオ録画再生装置の処理手順を示している。再生開始から所定時間だけ通常再生が行われた後、ユーザによってスキップが指示されると、従来は、スキップ開始後、キップ目標位置まで移動する間、中間映像が表示される。
【００４４】
一方、本発明のデジタルビデオ録画再生装置の場合、再生開始から所定時間だけ通常再生が行われた後、ユーザによってスキップが指示されると、スキップが開始され、その間、中間映像が表示される。ユーザによるスキップの指示が繰り返し行われると、スキップ目標位置が前方に移動し、その間に表示すべき中間映像表示残量も増加する。その結果、中間映像表示残量が所定の残量閾値を超えたとき、その中間映像表示残量から所定の固定残量を差し引いて得られた残量に対応する位置（ジャンプ目標位置）まで瞬時に移動（ジャンプ）する。その間、中間映像の表示は行われない。その後、スキップ目標位置まで、固定残量分の中間映像が表示される。
【００４５】
例えば、再生開始から所定時間経過後に前方スキップボタン２２０が複数回押下され、中間映像表示残量が所定の残量閾値を超えたとき、すなわち、スキップ時間が所定の基準時間を超えたとき、最後に中間映像を例えば１０回だけ表示するために要する時間だけ前のジャンプ目標位置までジャンプし、そこから中間映像の表示が開始され、１０回分の中間映像が表示された後、通常再生が開始される。これにより、ユーザは、スキップ時間が長時間になった場合であっても、ジャンプ後に中間映像が表示されるのは最大でも最後の１０回分だけとなり、目的とする映像を迅速に見ることができるとともに、スキップを行っていることを中間映像によって容易に知ることができるようになる。
【００４６】
図６は、中間映像表示残量と時間の関係を表すグラフである。図６（ａ）は、従来の手順でスキップ処理を行った場合の例であり、図６（ｂ）は、本発明のデジタルビデオ録画再生装置１００によりスキップ処理を行った場合の例を示している。
【００４７】
図６（ａ）に示したように、従来例では、ユーザによってリモコン２００の前方スキップボタン２２０が繰り返し押下されるかまたは押し続けられると、中間映像表示残量が増加する。スキップ処理が行われ中間映像が表示されると、表示された中間映像の数だけ中間映像表示残量が減少するが、中間映像表示残量が増加する数の方が減少する数より多いため、際限無く増加することになる。
【００４８】
一方、本発明のデジタルビデオ録画再生装置１００の場合、図６（ｂ）に示したように、ユーザによってリモコン２００の前方スキップボタン２２０が繰り返し押下されるかまたは押し続けられると、中間映像表示残量が増加する。しかし、中間映像表示残量が残量閾値を超えると、中間映像表示残量が強制的に固定残量まで減少させられる。
【００４９】
その後、ジャンプ処理が行われた後、中間映像表示残量から固定残量を差し引いた値に対応する位置（ジャンプ目標位置）までジャンプし、固定残量分の中間映像が表示される。従って、中間映像表示残量の増加が所定の残量閾値以下に抑えられ、中間映像表示残量が際限なく増加するということがなくなり、速やかに所望のスキップ目標位置に移動させることができる。
【００５０】
図７は、スキップ開始時にディスプレイ４１０に表示される画面例を示している。同図に示すように、後方スキップボタン２１９または前方スキップボタン２２０が操作されると、画面左上の現在表示位置４１１には、スキップが開始された位置（スキップが開始されたときの現在表示位置）が表示される。例えば、再生開始からの時間が表示される。この例では、現在表示位置として５分を表す文字列「００：０５：００」（時：分：秒）が表示される。
【００５１】
また、画面右上のスキップ目標位置４１２には、スキップ終了後に通常再生が開始される位置が表示される。例えば、再生開始後、前方スキップボタン２２０が操作され、スキップが指示されるまでの時間（現在表示位置）が５分であり、その後、前方スキップボタン２２０が複数回操作されてスキップ時間として１５分が指定された場合、スキップ目標位置４１２として２０分を表す文字列「００：２０：００」が表示される。
【００５２】
また、画面左下の中間映像表示残量４１３には、スキップ処理中に表示すべき中間映像の残りの枚数が表示される。この例では、固定残量の１０枚を表す文字列「１０」が表示される。
【００５３】
次に、図８および図９のフローチャートを参照して、本発明の実施の形態におけるデジタルビデオ録画再生装置１００の動作について説明する。まず最初に、ステップＳ９１１において、ＣＰＵ５１１の制御により、ハードディスク装置１１４に記憶されている所定の映像データが読み出され、ＭＰＥＧデコーダ５３５に供給される。ＭＰＥＧデコーダ５３５は、この映像データをデコードし、デコードされた映像データを映像信号処理回路５３９に供給するとともに、デコードされた音声データを音声信号処理回路５４０に供給する。
【００５４】
映像信号処理回路５３９は、ＭＰＥＧデコーダ５３５より供給された映像データに対して所定の映像信号処理を施した後、ディスプレイ４１０に供給する。また、音声信号処理回路５４０は、ＭＰＥＧデコーダ５３５より供給された音声データに対して所定の映像信号処理を施した後、スピーカ４２０に供給する。
【００５５】
次に、ステップＳ９１２において、ＣＰＵ５１１により、リモコン２００の後方スキップボタン２１９または前方スキップボタン２２０が操作されたか否かが判定される。すなわち、リモコン受光部１１１は、リモコン２００の後方スキップボタン２１９または前方スキップボタン２２０が操作されたときにリモコン２００の赤外線発光部から出射される赤外線を受光し、受光した赤外線によって送信されてきた制御データをバス５２０を介してＣＰＵ５１１に供給する。
【００５６】
ＣＰＵ５１１は、リモコン受光部１１１より供給された制御データに基づいて、リモコン２００の後方スキップボタン２１９および前方スキップボタン２２０のいずれかが操作されたか否かを判定する。ＣＰＵ５１１によって後方スキップボタン２１９または前方スキップボタン２２０が押下されたと判定された場合、ステップＳ９１３に進む。一方、ＣＰＵ５１１によって後方スキップボタン２１９および前方スキップボタン２２０のいずれも押下されていないと判定された場合、ステップＳ９１１に戻り、ステップＳ９１１以降の処理が繰り返し実行される。
【００５７】
ステップＳ９１３においては、ＣＰＵ５１１により、ＭＰＥＧデコーダ５３５に対して再生停止指示がなされる。すなわち、ＭＰＥＧデコーダ５３５に対して、デコード処理の中止が指示される。この指示を受けたＭＰＥＧデコーダ５３５は、ハードディスク装置１１４より供給された映像音声データに対するデコード処理を中止し、再生を停止する。
【００５８】
次に、ステップＳ９１４において、ＣＰＵ５１１により、中間映像表示回数が計算される。すなわち、後方スキップボタン２１９または前方スキップボタン２２０が１回押下されたときにスキップされる予め不揮発性ＲＡＭ５１５等に規定値として設定されているスキップ時間と、予め不揮発性ＲＡＭ５１５等に規定値として設定されている中間映像の表示間隔とから、後方スキップボタン２１９または前方スキップボタン２２０が１回押下された際の中間映像表示回数は、次式により計算される。
中間映像表示回数 ＝ スキップ時間 ／ 中間映像の表示間隔
【００５９】
例えば、通常再生時では３秒毎に表示される映像をそれぞれ抽出し、抽出した各映像をスキップ処理中に中間映像として０．２秒毎に順番に表示する。この中間映像を抽出する間隔（この例では３秒）が中間映像の表示間隔である。また、例えば、後方スキップボタン２１９または前方スキップボタン２２０が１回押されると、スキップ時間として１５秒が設定されるので、この場合、中間映像表示回数は５（＝１５／３）回となる。
【００６０】
但し、ステップＳ９１４においては、１回あたりの中間映像表示回数に対して、さらに後方スキップボタン２１９または前方スキップボタン２２０の押下回数を掛けることにより、その押下回数に相当する中間映像表示回数を求めることになる。
【００６１】
次に、ステップＳ９１５において、ＣＰＵ５１１により、上記制御データに基づいて後方スキップボタン２１９および前方スキップボタン２２０のいずれが操作されたのかが判定される。その結果、後方スキップボタン２１９が操作されたと判定された場合、ステップＳ９１６に進む。
【００６２】
ステップＳ９１６においては、ＣＰＵ５１１により、スキップ終了までに表示すべき中間映像の表示回数（中間映像表示残量）が更新される。この例の場合、後方スキップボタン２１９が１回押されると、後方へのスキップとなり、中間映像表示残量が中間映像表示回数分だけ減少するので、中間映像表示残量から中間映像表示回数が減算される。この中間映像表示残量は、スキップが指示される前は値０に初期化されている。
【００６３】
一方、ステップＳ９１５において、ＣＰＵ５１１により、前方スキップボタン２２０が押下されたと判定された場合、ステップＳ９１７に進む。ステップＳ９１７においては、ＣＰＵ５１１により、スキップ終了までに表示すべき中間映像の表示回数（中間映像表示残量）が更新される。この例の場合、前方スキップボタン２２０が１回押されると、前方へのスキップとなり、中間映像表示残量が中間映像表示回数分だけ増加するので、中間映像表示残量に中間映像表示回数が加算される。
【００６４】
ステップＳ９１６またはステップＳ９１７のいずれかの処理が終了すると、ステップＳ９１８に進む。ステップＳ９１８においては、ＣＰＵ５１１により再生が停止したか否かが判定される。その結果、再生が停止していないと判定された場合、ステップＳ９１８の処理が繰り返し実行される。すなわち、再生が停止するまで待つことになる。
【００６５】
一方、再生が停止したと判定された場合、図９のステップＳ９２１に進む。ステップＳ９２１においては、中間映像表示残量が０であるか否かが判定される。その結果、中間映像表示残量が０であると判定された場合、図８のステップＳ９１１に戻り、ステップＳ９１１以降の処理が繰り返し実行される。
【００６６】
一方、中間映像表示残量が０ではないと判定された場合、ステップＳ９２２に進む。ステップＳ９２２においては、ＣＰＵ５１１により後方スキップボタン２１９または前方スキップボタン２２０が押下されたか否かが判定される。その結果、後方スキップボタン２１９および前方スキップボタン２２０のいずれも押下されていないと判定された場合、ステップＳ９２７に進む。
【００６７】
一方、後方スキップボタン２１９または前方スキップボタン２２０のいずれかが押下されたと判定された場合、ステップＳ９２３に進む。ステップＳ９２３においては、ステップＳ９１４の場合と同様にして中間映像表示回数が計算される。
【００６８】
次に、ステップＳ９２４において、ＣＰＵ５１１により、後方スキップボタン２１９および前方スキップボタン２２０のいずれが押下されたのかが判定される。その結果、後方スキップボタン２１９が押下されたと判定された場合、ステップＳ９２５に進み、中間映像表示残量から中間映像表示回数が減算される。
【００６９】
一方、ＣＰＵ５１１により、前方スキップボタン２２０が押下されたと判定された場合、ステップＳ９２６に進む。ステップＳ９２６においては、中間映像表示残量に中間映像表示回数が加算される。ステップＳ９２５またはステップＳ９２６のいずれかの処理が終了すると、ステップＳ９２７に進む。
【００７０】
ステップＳ９２７においては、中間映像表示残量が残量閾値（例えば、２０（秒））以上であるか否かが判定される。すなわち、前方スキップボタン２２０が複数回押下されてトータルとしてのスキップ時間がその閾値（この例では６０（＝２０×３）秒）以上となったか否かが判定される。その結果、中間映像表示残量が残量閾値以上ではないと判定された場合、ステップＳ９２９に進む。一方、中間映像表示残量が残量閾値以上であると判定された場合、ステップＳ９２８において、中間映像表示残量に固定残量（例えば、１０）が設定される。
【００７１】
次に、ステップＳ９２９に進み、ＣＰＵ５１１の制御下、次の中間映像を表示する位置まで移動させられる。中間映像表示残量が残量閾値より小さい場合、次の中間映像を表示する位置まで移動し、中間映像表示残量が残量閾値以上の場合、ジャンプ目標位置まで移動する。例えば、図５に示した例において、スキップ時間が５分（３００秒）となった場合、中間映像表示残量が残量閾値以上となり（残量閾値超え）、中間映像表示残量から固定残量を差し引いた数に対応する４分３０秒後のジャンプ目標位置まで瞬時にジャンプする。
【００７２】
次に、ステップＳ９３０において、ＣＰＵ５１１の制御下、ジャンプが行われた場合にはジャンプ目標位置に対応する中間映像がハードディスク装置１１４から読み出され、ＭＰＥＧデコーダ５３５によってデコードされた後、映像信号処理回路５３９を介してディスプレイ４１０に供給され、表示される。固定残量が１０の場合、図８および図９のフローチャートに示した処理が繰り返し呼び出されることにより、結果的に、ステップＳ９３０の処理が繰り返し実行され、最後の３０秒間の映像データから３秒間隔で１０回の中間映像が抽出され、２秒間に亘って表示されることになる。
【００７３】
次に、ステップＳ９３１において、ＣＰＵ５１１の制御により、中間映像表示残量が１だけ減少させられる。その後、ステップＳ９２１に戻り、ステップＳ９２１以降の処理が繰り返し実行される。
【００７４】
このように、本発明の実施の形態によれば、前方スキップボタン２２０が複数回押下され、スキップ時間が長くなっても、目的とするスキップ位置（スキップ目標位置）から３０秒だけ手前まで瞬時に移動し、そこから中間映像が表示されるので、中間映像の表示回数を例えば１０回程に制限することができ、目的とする映像を迅速に表示することができるとともに、中間映像の表示によってスキップ処理中であることをユーザに認識させることができる。
【００７５】
次に、図１０および図１１のフローチャートを参照して、本発明の他の実施の形態におけるデジタルビデオ録画再生装置１００の動作について説明する。図８および図９のフローチャートでは、中間映像表示残量や中間映像表示回数等、回数を基準として処理を行うようにしたが、図１０および図１１のフローチャートでは、時間を基準として処理を行うようにしている。なお、ここにいう時間とは、時分秒などの何れの単位によるものであってもよい。
【００７６】
まず最初に、ステップＳ９４１において、ＣＰＵ５１１の制御により、ハードディスク装置１１４に記憶されている所定の映像データが読み出され、ＭＰＥＧデコーダ５３５に供給される。ＭＰＥＧデコーダ５３５は、この映像データをデコードし、デコードされた映像データを映像信号処理回路５３９に供給し、デコードされた音声データを音声信号処理回路５４０に供給する。
【００７７】
映像信号処理回路５３９は、ＭＰＥＧデコーダ５３５より供給された映像データに対して所定の映像信号処理を施した後、ディスプレイ４１０に供給する。また、音声信号処理回路５４０は、ＭＰＥＧデコーダ５３５より供給された音声データに対して所定の映像信号処理を施した後、スピーカ４２０に供給する。
【００７８】
次に、ステップＳ９４２において、ＣＰＵ５１１により、リモコン２００の後方スキップボタン２１９または前方スキップボタン２２０が操作されたか否かが判定される。すなわち、リモコン受光部１１１は、リモコン２００の後方スキップボタン２１９または前方スキップボタン２２０が操作されたときにリモコン２００の赤外線発光部から出射される赤外線を受光し、受光した赤外線によって送信されてきた制御データを、バス５２０を介してＣＰＵ５１１に供給する。
【００７９】
ＣＰＵ５１１は、リモコン受光部１１１より供給された制御データに基づいて、リモコン２００の後方スキップボタン２１９および前方スキップボタン２２０のいずれかが操作されたか否かを判定する。ＣＰＵ５１１によって後方スキップボタン２１９または前方スキップボタン２２０が押下されたと判定された場合、ステップＳ９４３に進む。一方、ＣＰＵ５１１によって後方スキップボタン２１９および前方スキップボタン２２０のいずれも押下されていないと判定された場合、ステップＳ９４１に戻り、ステップＳ９４１以降の処理が繰り返し実行される。
【００８０】
ステップＳ９４３においては、ＣＰＵ５１１により、ＭＰＥＧデコーダ５３５に対して再生停止指示がなされる。すなわち、ＭＰＥＧデコーダ５３５に対して、デコード処理の中止が指示される。この指示を受けたＭＰＥＧデコーダ５３５は、ハードディスク装置１１４より供給された映像音声データに対するデコード処理を中止し、再生を停止する。
【００８１】
次に、ステップＳ９４４において、ＣＰＵ５１１により、中間映像表示時間が設定される。すなわち、後方スキップボタン２１９または前方スキップボタン２２０が押下されたときにスキップされる予め不揮発性ＲＡＭ５１５等に規定値として設定されている規定時間に基づいて中間映像表示時間が設定される。
【００８２】
また、通常再生時では３秒毎に表示される映像をそれぞれ抽出し、抽出した各映像をスキップ処理中に中間映像として０．２秒毎に順番に表示する。この中間映像を抽出する間隔（この例では３秒）が中間映像の表示間隔である。例えば、後方スキップボタン２１９または前方スキップボタン２２０が１回押されると、スキップ時間として１５秒が設定される。
【００８３】
但し、ステップＳ９４４においては、１回あたりの中間映像表示時間に対して、さらに後方スキップボタン２１９または前方スキップボタン２２０の押下回数を掛けることにより、その押下回数に相当する中間映像表示時間を求めることになる。
【００８４】
次に、ステップＳ９４５において、ＣＰＵ５１１により、上記制御データに基づいて後方スキップボタン２１９および前方スキップボタン２２０のいずれが操作されたのかが判定される。その結果、後方スキップボタン２１９が操作されたと判定された場合、ステップＳ９４６に進む。
【００８５】
ステップＳ９４６においては、ＣＰＵ５１１により、スキップ終了までに表示すべき中間映像の表示時間（中間映像表示残時間）が更新される。すなわち、中間映像表示残時間から中間映像表示時間が減算される。この例の場合、後方スキップボタン２１９が１回押されると、後方へのスキップとなり、中間映像表示残時間が中間映像表示残時間である１５秒だけ減少するので、中間映像表示残時間から１５秒が減算される。この中間映像表示残時間は、スキップが指示される前は値０に初期化されている。
【００８６】
一方、ステップＳ９４５において、ＣＰＵ５１１により、前方スキップボタン２２０が押下されたと判定された場合、ステップＳ９４７に進む。ステップＳ９４７においては、ＣＰＵ５１１により、スキップ終了までに表示すべき中間映像の表示時間（中間映像表示残時間）が更新される。すなわち、中間映像表示残時間に中間映像表示時間が加算される。この例の場合、前方スキップボタン２２０が１回押されると、前方へのスキップとなり、中間映像表示残時間が１５秒だけ増加するので、中間映像表示残時間に１５秒が加算される。
【００８７】
ステップＳ９４６またはステップＳ９４７のいずれかの処理が終了すると、ステップＳ９４８に進む。ステップＳ９４８においては、ＣＰＵ５１１により再生が停止したか否かが判定される。その結果、再生が停止していないと判定された場合、ステップＳ９４８の処理が繰り返し実行される。すなわち、再生が停止するまで待つことになる。
【００８８】
一方、再生が停止したと判定された場合、図１１のステップＳ９５１に進む。ステップＳ９５１においては、中間映像表示残時間が０であるか否かが判定される。その結果、中間映像表示残時間が０であると判定された場合、図１０のステップＳ９４１に戻り、ステップＳ９４１以降の処理が繰り返し実行される。
【００８９】
一方、中間映像表示残時間が０ではないと判定された場合、ステップＳ９５２に進む。ステップＳ９５２においては、ＣＰＵ５１１により後方スキップボタン２１９または前方スキップボタン２２０が押下されたか否かが判定される。その結果、後方スキップボタン２１９および前方スキップボタン２２０のいずれも押下されていないと判定された場合、ステップＳ９５７に進む。
【００９０】
一方、後方スキップボタン２１９または前方スキップボタン２２０のいずれかが押下されたと判定された場合、ステップＳ９５３に進む。ステップＳ９５３においては、ＣＰＵ５１１により、中間映像表示時間が設定される。次に、ステップＳ９５４において、ＣＰＵ５１１により、後方スキップボタン２１９および前方スキップボタン２２０のいずれが押下されたのかが判定される。その結果、後方スキップボタン２１９が押下されたと判定された場合、ステップＳ９５５に進み、中間映像表示残時間の値から中間映像表示時間が減算される。
【００９１】
一方、ＣＰＵ５１１により、前方スキップボタン２２０が押下されたと判定された場合、ステップＳ９５６に進む。ステップＳ９５６においては、中間映像表示残時間に中間映像表示時間が加算される。ステップＳ９５５またはステップＳ９５６の処理が終了すると、ステップＳ９５７に進む。
【００９２】
ステップＳ９５７においては、中間映像表示残時間が残時間閾値（例えば、６０（秒））以上であるか否かが判定される。すなわち、前方スキップボタン２２０が複数回押下されてトータルとしてのスキップ時間が残時間閾値以上となったか否かが判定される。その結果、中間映像表示残時間が残時間閾値以上ではないと判定された場合、ステップＳ９５９に進む。一方、中間映像表示残時間が残時間閾値以上であると判定された場合、ステップＳ９５８において、中間映像表示残時間の値が固定残時間（例えば、３０（秒））に設定される。
【００９３】
次に、ステップＳ９５９に進み、ＣＰＵ５１１の制御下、次の中間映像を表示する位置まで移動させられる。例えば、図５に示した例において、中間映像表示残時間が残時間閾値を超えた場合、中間映像表示残時間から固定残量を差し引いた時間分だけ先のジャンプ目標位置まで瞬時にジャンプする。
【００９４】
次に、ステップＳ９６０において、ＣＰＵ５１１の制御下、そのジャンプ目標位置に対応する中間映像がハードディスク装置１１４から読み出され、ＭＰＥＧデコーダ５３５によってデコードされた後、映像信号処理回路５３９を介してディスプレイ４１０に供給され、表示される。
【００９５】
次に、ステップＳ９６１において、ＣＰＵ５１１の制御により、中間映像表示残時間が３（秒）だけ減少させられる。この３秒は中間映像の表示間隔である。その後、ステップＳ９５１に戻り、ステップＳ９５１以降の処理が繰り返し実行される。
【００９６】
このように、本発明の実施の形態によっても、前方スキップボタン２２０が複数回押下され、スキップ時間が長くなっても、目的とするスキップ位置（スキップ目標位置）から３０秒だけ手前まで瞬時に移動し、そこから中間映像が表示されるので、中間映像の表示時間を例えば２秒に制限することができ、目的とする映像を迅速に表示することができるとともに、中間映像の表示によってスキップ処理中であることをユーザに認識させることができる。
【００９７】
なお、本発明の各実施の形態で用いた具体的な数値や時間は例であって、これらに限定されるものではない。
【００９８】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００９９】
すなわち、請求項１において、指示入力受付手段は、例えば、指示入力受付部６１０に対応する。また、中間映像表示残量処理手段は、例えば、中間映像表示残量管理部６２０が対応する。また、現在表示位置処理手段は、例えば、現在表示位置管理部６３０に対応する。また、第１の時間は、スキップ時間に対応する。また、第２の時間は、中間映像の表示間隔に対応する。
【０１００】
また、請求項２において、中間映像表示残量更新手段は、中間映像表示残量更新部６２１に対応する。また、中間映像表示残量保持手段は、中間映像表示残量カウンタ６２２に対応する。
【０１０１】
また、請求項５において、中間表示位置更新手段は、現在表示位置更新部６３３に対応する。また、現在表示位置保持手段は、現在表示位置カウンタ６３４に対応する。
【０１０２】
また、請求項８において、再生手段は、例えば、ＭＰＥＧデコーダ５３５に対応する。また、指示入力受付手段は、例えば、指示入力受付部６１０に対応する。また、中間映像表示残量処理手段は、例えば、中間映像表示残量管理部６２０が対応する。また、現在表示位置処理手段は、例えば、現在表示位置管理部６３０に対応する。
【０１０３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０１０４】
本発明の活用例として、例えば、ＤＶＤ（Digital Versatile Disc）等のランダムアクセスが可能な記録媒体に記録された映像データを再生する際に本発明を適用することができる。
【図面の簡単な説明】
【０１０５】
【図１】本発明の実施の形態におけるデジタルビデオ録画再生装置１００の構成例を示すブロック図である。
【図２】本発明の実施の形態におけるデジタルビデオ録画再生装置１００の要部の構成例を示すブロック図である。
【図３】本発明の実施の形態におけるリモコン２００の構成例を示すブロック図である。
【図４】本発明の実施の形態におけるデジタルビデオ録画再生装置１００の機能構成例を示す図である。
【図５】スキップの手順を示す図である。
【図６】中間映像表示残量と時間との関係を示す図である。
【図７】本発明の実施の形態においてスキップ開始時にディスプレイ４１０に表示される画面例を示す図である。
【図８】本発明の実施の形態におけるデジタルビデオ録画再生装置１００の動作の一例について説明するためのフローチャートである。
【図９】本発明の実施の形態におけるデジタルビデオ録画再生装置１００の動作の一例について説明するためのフローチャートである。
【図１０】本発明の実施の形態におけるデジタルビデオ録画再生装置１００の動作の他の例について説明するためのフローチャートである。
【図１１】本発明の実施の形態におけるデジタルビデオ録画再生装置１００の動作の他の例について説明するためのフローチャートである。
【符号の説明】
【０１０６】
１００  デジタルビデオ録画再生装置
１１１  リモコン受光部
１１２  制御部
１１３  地上波チューナ
１１４  ハードディスク装置
１１５  混合器
１１６〜１１９  コネクタ
１２０  ＣＳ用アンテナ
１２１  ＣＳチューナ
１２２  地上波用アンテナ
２００  リモコン
２１９  後方スキップボタン
２２０  前方スキップボタン
４００  受像機
４１０  ディスプレイ
４２０  スピーカ
５１１  ＣＰＵ
５１２  ＲＡＭ
５１３  ＲＯＭ
５１４  ハードディスク装置
５１５  不揮発性ＲＡＭ
５２０  バス
５３１  ライブ用チューナ
５３２  録画用チューナ
５３３、５３４  ＭＰＥＧエンコーダ
５３５  ＭＰＥＧデコーダ
５３６  付加音発生回路
５３７  ＶＲＡＭ
５３８  映像デコーダ
５３９  映像信号処理回路
５４０  音声信号処理回路
６１０  指示入力受付部
６２０  中間映像表示残量管理部
６２１  中間映像表示残量更新部
６２２  中間映像表示残量カウンタ
６３０  現在表示位置管理部
６３１  固定残量保持部
６３２  残量閾値保持部
６３３  現在表示位置更新部
６３４  現在表示位置カウンタ
６４０  再生部
６５０  データ記憶部
６６０  出力部
【図１】
2006134389.tif 000003
【図２】
2006134389.tif 000004
【図３】
2006134389.tif 000005
【図４】
2006134389.tif 000006
【図５】
2006134389.tif 000007
【図６】
2006134389.tif 000008
【図７】
2006134389.tif 000009
【図８】
2006134389.tif 000010
【図９】
2006134389.tif 000011
【図１０】
2006134389.tif 000012
【図１１】
2006134389.tif 000013